【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
複数種類のアイコンを表示可能な表示手段を備えた遊技台であって、
前記複数種類のアイコンのうちの一の種類のアイコンは、保留アイコンであり、
前記複数種類のアイコンのうちの一の種類のアイコンは、予告アイコンであり、
前記保留アイコンは、保留数に応じた数の表示が表示されるアイコンであり、
前記予告アイコンは、表示されている数によって前記保留数を表示するものではないアイコンであり、
一回の図柄変動表示が実行されている期間において、前記予告アイコンが第一の数の消化がされた場合よりも、該第一の数よりも大きい第二の数の消化がされた場合の方が大当りとなりやすく、
或る図柄変動表示において前記予告アイコンが複数表示されている状態で少なくとも一の該予告アイコンが消化され、該或る図柄変動表示が終了した時点において未消化の該予告アイコン（以下、「未消化の予告アイコン」という。）が表示されている場合がある、
ことを特徴とする遊技台。
【請求項２】
請求項１に記載の遊技台であって、
前記表示手段は、先読みの対象である図柄変動表示が開始されるよりも前に、先読み予告表示として前記予告アイコンを表示可能な手段であり、
前記未消化の予告アイコンは、前記先読み予告表示として表示されるアイコンである、
ことを特徴とする遊技台。
【請求項３】
請求項１または請求項２に記載の遊技台であって、
前記或る図柄変動表示は、結果が大当りとなる変動表示であり、
前記未消化の予告アイコンは、前記大当り中に消化される場合があるアイコンである、
ことを特徴とする遊技台。
【請求項４】
請求項１乃至請求項３のいずれか一項に記載の遊技台であって、
前記予告アイコンが消化される順番によって大当りの信頼度が変化する、
ことを特徴とする遊技台。
【請求項５】
請求項１乃至請求項４のいずれか一項に記載の遊技台であって、
前記表示手段は、複数種類の予告表示を表示可能な手段であり、
前記予告アイコンは、前記予告表示が表示される可能性がある回数に応じた数が表示される、
ことを特徴とする遊技台。
【請求項６】
請求項５に記載の遊技台であって、
前記表示手段は、前記予告表示の態様と同じ態様の偽の予告表示を表示可能な手段である、
ことを特徴とする遊技台。
【請求項７】
請求項６に記載の遊技台であって、
前記或る図柄変動表示において前記偽の予告表示が表示された後に、該或る図柄変動表示の結果がはずれとなる、ことを特徴とする遊技台。
【請求項８】
請求項１乃至請求項７のいずれか一項に記載の遊技台であって、
前記予告アイコンが消化される図柄変動表示が実行されている期間において、該予告アイコンが表示開始される場合がある、
ことを特徴とする遊技台。
【請求項９】
請求項１乃至請求項８のいずれか一項に記載の遊技台であって、
前記表示手段は、保留アイコンを保留表示領域に表示可能な手段であり、
前記表示手段は、前記予告アイコンを予告アイコン表示領域に表示可能な手段であり、
前記予告アイコン表示領域は、前記保留表示領域とは異なる領域である、
ことを特徴とする遊技台。
【請求項１０】
請求項１乃至請求項９のいずれか一項に記載の遊技台であって、
前記遊技台は、パチンコ機である、
ことを特徴とする遊技台。
【手続補正２】
【補正対象書類名】明細書
【補正対象項目名】０００２
【補正方法】変更
【補正の内容】
【０００２】
従来、表示手段を備えた遊技台が提案されている（例えば、特許文献１参照）。
【手続補正３】
【補正対象書類名】明細書
【補正対象項目名】０００４
【補正方法】変更
【補正の内容】
【０００４】
しかしながら、従来の遊技台は、表示手段に改良の余地がある。
【手続補正４】
【補正対象書類名】明細書
【補正対象項目名】０００５
【補正方法】変更
【補正の内容】
【０００５】
本発明の目的は、表示手段に特徴を持った遊技台を提供することにある。
【手続補正５】
【補正対象書類名】明細書
【補正対象項目名】０００６
【補正方法】変更
【補正の内容】
【０００６】
本発明に係る遊技台は、複数種類のアイコンを表示可能な表示手段を備えた遊技台であって、前記複数種類のアイコンのうちの一の種類のアイコンは、保留アイコンであり、前記複数種類のアイコンのうちの一の種類のアイコンは、予告アイコンであり、前記保留アイコンは、保留数に応じた数の表示が表示されるアイコンであり、前記予告アイコンは、表示されている数によって前記保留数を表示するものではないアイコンであり、一回の図柄変動表示が実行されている期間において、前記予告アイコンが第一の数の消化がされた場合よりも、該第一の数よりも大きい第二の数の消化がされた場合の方が大当りとなりやすく、或る図柄変動表示において前記予告アイコンが複数表示されている状態で少なくとも一の該予告アイコンが消化され、該或る図柄変動表示が終了した時点において未消化の該予告アイコン（以下、「未消化の予告アイコン」という。）が表示されている場合がある、ことを特徴とする遊技台である。
【手続補正６】
【補正対象書類名】明細書
【補正対象項目名】０００７
【補正方法】変更
【補正の内容】
【０００７】
本発明によれば、表示手段に特徴を持った遊技台を実現できる。
【手続補正７】
【補正対象書類名】明細書
【補正対象項目名】１０５２４
【補正方法】変更
【補正の内容】
【１０５２４】
本実施形態に係る遊技台は、複数種類のアイコンを表示可能な表示手段を備えた遊技台であって、前記複数種類のアイコンのうちの一の種類のアイコンは、保留アイコン（例えば、図８９２に記載の保留アイコンｈ１１）であり、前記複数種類のアイコンのうちの一の種類のアイコンは、予告アイコン（例えば、図８９２に記載の予告アイコンＩ８，Ｉ１０が）であり、前記保留アイコンは、保留数に応じた数の表示が表示されるアイコンであり、前記予告アイコンは、表示されている数によって前記保留数を表示するものではないアイコンであり、一回の図柄変動表示が実行されている期間において、前記予告アイコンが第一の数の消化がされた場合よりも、該第一の数よりも大きい第二の数の消化がされた場合の方が大当りとなりやすく、或る図柄変動表示において前記予告アイコンが複数表示されている状態で少なくとも一の該予告アイコンが消化され、該或る図柄変動表示が終了した時点において未消化の該予告アイコン（以下、「未消化の予告アイコン」という。）が表示されている場合がある、ことを特徴とする遊技台である。
本実施形態に係る遊技台によれば、表示手段に特徴を持った遊技台を実現できる。
また、前記表示手段は、先読みの対象である図柄変動表示が開始されるよりも前に、先読み予告表示として前記予告アイコンを表示可能な手段であり、前記未消化の予告アイコンは、前記先読み予告表示として表示されるアイコンであってもよい。また、前記或る図柄変動表示は、結果が大当りとなる変動表示であり、前記未消化の予告アイコンは、前記大当り中に消化される場合があるアイコンであってもよい。また、前記予告アイコンが消化される順番によって大当りの信頼度が変化するものであってもよい。また、前記表示手段は、複数種類の予告表示を表示可能な手段であり、前記予告アイコンは、前記予告表示が表示される可能性がある回数に応じた数が表示されるものであってもよい。また、前記表示手段は、前記予告表示の態様と同じ態様の偽の予告表示を表示可能な手段であるものであってもよい。また、前記或る図柄変動表示において前記偽の予告表示が表示された後に、該或る図柄変動表示の結果がはずれとなるものであってもよい。また、前記予告アイコンが消化される図柄変動表示が実行されている期間において、該予告アイコンが表示開始される場合があってもよい。また、前記表示手段は、保留アイコンを保留表示領域に表示可能な手段であり、前記表示手段は、前記予告アイコンを予告アイコン表示領域に表示可能な手段であり、前記予告アイコン表示領域は、前記保留表示領域とは異なる領域であってもよい。
次に、本実施形態にかかるパチンコ機１００において実行される演出の他の具体例について説明する。